(57)【要約】【課題】底部コーナ部に設けるライナプレートの傾斜部に閉塞板による不連続部が生じないようにして、内外槽間圧力によりライナプレートに作用する外力をライナプレートの変形により逃がす機能を向上させ、ライナプレートの強度を向上させるようにしたタンク底部内側コーナ部構造を提供する。【解決手段】コンクリート製の底部床１と、底部床１の上面に形成されたコンクリート製の側壁２とにより形成された底部内側コーナ部に、ライナプレート３を設け、底部床１及び側壁２並びにライナプレート３により形成された内部空間６にセメント系充填材を打設して補強部７を構成するようにしたタンク底部内側コーナ部構造において、側壁２内に、一端が内部空間６に連通し、且つ他端が側壁２により包囲された空間に連通するセメント系充填材充填用排気管１２を設ける。【選択図】図１
2005289405.tif 000002
【特許請求の範囲】
【請求項１】
底部床と、該底部床の上面に設けられた側壁とにより形成された底部コーナ部に、ライナプレートを設け、前記底部床及び側壁並びにライナプレートにより形成された空間にセメント系充填材を打設して補強部を形成するようにしたタンク底部内側コーナ部構造において、前記側壁の壁部内に、一端が前記空間に連通し、且つ他端が前記空間以外の空間に連通する排気管を設けたことを特徴とするタンク底部内側コーナ部構造。
【請求項２】
底部床と側壁はコンクリート製である請求項１記載のタンク底部内側コーナ部構造。
【請求項３】
ライナプレートは、底部床から側壁内周側に向かって上り勾配に形成された傾斜部を備えている請求項１又は２記載のタンク底部内側コーナ部構造。
【請求項４】
底部床と、該底部床の上面に設けられた側壁とにより形成された底部コーナ部に、ライナプレートを設け、前記底部床及び側壁並びにライナプレートにより形成された空間にセメント系充填材を打設して補強部を形成する際に、セメント系充填材の打設に伴い前記空間から排気される空気を、一端が前記空間に連通し、且つ他端が前記空間以外の空間に連通するよう側壁の壁部内に設けた排気管を通し排気することを特徴とするタンク底部内側コーナ部構造の建造方法。
【発明の詳細な説明】
【技術分野】
【０００１】
本発明はタンク底部内側コーナ部構造及びその建造方法に関するものである。
【背景技術】
【０００２】
図２に示すように、例えば、ＰＣ低温タンクにおけるコンクリート製の底部床１と、該底部床１の上面に設けられた円筒形状でコンクリート製の側壁２とにより形成される底部内側コーナ部には、タンク外湿分の侵入を防ぐために、ライナプレート３が設けられるようになっている。ライナプレート３は、タンク中心側から側壁２内周側に向かい昇り傾斜となる傾斜部３ａと、傾斜部３ａの下端から底部床１上面に沿い水平に延在する水平部３ｂと、傾斜部３ａの上端から側壁２内周に沿い上方へ延在する鉛直部３ｃとを備えている。
【０００３】
底部床１には底部ライナアンカ４が設けられており、ライナプレート３の水平部３ｂの端部は、底部ライナアンカ４に溶接されている。又側壁２には側壁ライナアンカ５が設けられており、ライナプレート３の鉛直部３ｃ上端側は、側壁ライナアンカ５に溶接されている。
【０００４】
而して、底部床１及び側壁２並びにライナプレート３の傾斜部３ａにより内部空間６が形成されており、内部空間６にはライナプレート３を型枠として使用することにより、セメント系充填材を充填し、補強部７を形成し得るようになっている。ライナプレート３の傾斜部３ａには、側壁２の円周方向へ所定の間隔で複数のセメント系充填材充填用排気孔８が設けられている。
【０００５】
９は底部床１上面に設置された底部ライナプレートであり、底部ライナプレート９の端部は底部ライナアンカ４に溶接されている。１０は側壁２内周に貼設した側壁ライナプレートであり、側壁ライナプレート１０の下端は側壁ライナアンカ５に溶接されている。
【０００６】
上記タンクでは、上述のように、側壁２の円周方向へ所定長さのライナプレート３を設けたら、ライナプレート３の円周方向開口部側から内部空間へセメント系充填材を打設する。セメント系充填材の打設に伴い、内部空間６の空気は複数のセメント系充填材充填用排気孔８から内部空間６の外部に排気される。又、セメント系充填材の充填状態の確認もセメント系充填材充填用排気孔８から行われる。而して、ライナプレート３の設置及び内部空間６内へのセメント系充填材の打設が全周に亘り行われることにより補強部７が形成される。
【０００７】
ＰＣ低温タンクにおける底部コーナ部の補強構造例としては、例えば特許文献１がある。特許文献１では、底部基礎の周縁部に上方へ突出したリングとリングの内側に可撓性を有するアンカとを夫々設け、このアンカと一体に側壁を形成するようにしているが、本件発明とは直接関連性はない。
【特許文献１】特開昭５８−９８５７５号公報
【発明の開示】
【発明が解決しようとする課題】
【０００８】
図２に示すタンクでは、内部空間６にセメント系充填材が充填されたら、セメント系充填材充填用排気孔８の上面に閉塞板１１を溶接することにより、セメント系充填材充填用排気孔８は閉塞される。この場合、ライナプレート３の傾斜部３ａには、閉塞板１１により段状の不連続部が形成される。而して、閉塞板１１をライナプレート３の傾斜部３ａに溶接すると、傾斜部３ａは溶接の影響を受けて歪む。このため、傾斜部３ａに閉塞板１１による不連続部があると、該ライナプレート構造においては、内外槽間圧力によりライナプレート３に作用する外力をライナプレート３の変形により逃がす機能を十分に達成することができず、強度上好ましくないという問題がある。
【０００９】
本発明は、上述の実情に鑑み、底部床と側壁との底部内周コーナ部に設けるライナプレートの傾斜部に閉塞板による不連続部が生じないようにして、内外槽間圧力によりライナプレートに作用する外力をライナプレートの変形により逃がす機能を向上させ、タンクの強度を向上させるようにすることを目的としてなしたものである。
【課題を解決するための手段】
【００１０】
請求項１のタンク底部内側コーナ部構造は、底部床と、該底部床の上面に設けられた側壁とにより形成された底部コーナ部に、ライナプレートを設け、前記底部床及び側壁並びにライナプレートにより形成された空間にセメント系充填材を打設して補強部を形成するようにしたタンク底部内側コーナ部構造において、前記側壁の壁部内に、一端が前記空間に連通し、且つ他端が前記空間以外の空間に連通する排気管を設けたものである。
【００１１】
請求項２のタンク底部内側コーナ部構造においては、底部床と側壁はコンクリート製であり、請求項３のタンク底部内側コーナ部構造においては、ライナプレートは、底部床から側壁内周側に向かって上り勾配に形成された傾斜部を備えているものである。
【００１２】
請求項４のタンク底部内側コーナ部構造の建造方法は、底部床と、該底部床の上面に設けられた側壁とにより形成された底部コーナ部に、ライナプレートを設け、前記底部床及び側壁並びにライナプレートにより形成された空間にセメント系充填材を打設して補強部を形成する際に、セメント系充填材の打設に伴い前記空間から排気される空気を、一端が前記空間に連通し、且つ他端が前記空間以外の空間に連通するよう側壁の壁部内に設けた排気管を通し排気するものである。
【発明の効果】
【００１３】
本発明の請求項１〜４記載のタンク底部内側コーナ部構造及びその建造方法によれば、従来必要であったセメント系充填材充填用排気孔及び閉塞板が不要となるため、ライナプレートには不連続部が形成されず、このため、タンクの底部コーナ部において、ライナプレートの変形を阻害する要因が除去され、従って、内外槽間圧力によりライナプレートに作用する外力をライナプレートの変形により逃がす機能が向上して、ライナプレートの強度を向上させることができる、という優れた効果を奏し得る。
【発明を実施するための最良の形態】
【００１４】
以下、本発明の実施の形態を図示例と共に説明する。
図１は本発明を実施する形態の一例であって、図中、図２と同一の符号を付した部分は同一のものを表しており、基本的な構成は図２に示す従来のものと略同様である。而して、本図示例の特徴とするところは、ライナプレート３の傾斜部３ａに形成するセメント系充填材充填用排気孔８及び閉塞板１１（図２参照）を設けず、側壁２の壁部内に、一端が底部床１及び側壁２並びにライナプレート３により形成された内部空間６に連通し、他端が内部空間６以外の側壁２により包囲された空間に連通するよう、Ｕ字形状のセメント系充填材充填用排気管１２が設けられている。
【００１５】
本図示例では、底部床１と側壁２とにより形成された底部内側コーナ部円周方向へ所定長さのライナプレート３を設けて、水平部３ｂを底部ライナアンカ４に溶接し、鉛直部３ｃを側壁ライナアンカ５に溶接し、ライナプレート３の円周方向開口部側（図１の紙面に対し直交する方向）から内部空間６へセメント系充填材を打設する。セメント系充填材の打設に伴い、内部空間６の空気はセメント系充填材充填用排気管１２から側壁２で包囲された空間に排気される。而して、底部内側コーナ部全周にライナプレート３を設け、セメント系充填材を打設することにより補強部７が形成される。
【００１６】
本図示例によれば、従来必要であった図２に示すセメント系充填材充填用排気孔８及び閉塞板１１が不要となるため、ライナプレート３の傾斜部３ａには不連続部が形成されない。このため、タンクの底部コーナ部において、ライナプレート３の変形を阻害する要因が除去され、従って、内外槽間圧力によりライナプレート３に作用する外力をライナプレート３の変形により逃がす機能が向上して、ライナプレートの強度を向上させることができる。
【００１７】
なお、本発明はＰＣ低温タンク以外のタンクに対して適用することもできること、その他、本発明の要旨を逸脱しない範囲内において種々変更を加え得ることは勿論である。
【図面の簡単な説明】
【００１８】
【図１】本発明のタンク底部内側コーナ部構造及びその建造方法を説明するための実施の形態の一例を示す断面図である。
【図２】従来のタンク底部内側コーナ部構造の一例を示す断面図である。
【符号の説明】
【００１９】
１  底部床
２  側壁
３  ライナプレート
３ａ        傾斜部
６  内部空間（空間）
７  補強部
１２  セメント系充填材充填用排気管（排気管）
【図１】
2005289405.tif 000003
【図２】
2005289405.tif 000004